(57)【要約】【課題】ウェブページを所望のサイズの画像形成媒体に形成するための画像形成データを容易且つ適切に生成できるようにする。【解決手段】ウェブページを表示する表示処理部４６と、ウェブページにおける所定のサイズの画像形成媒体により印刷すべき画像形成範囲の指定を受け付ける入力部４２と、受け付けた画像形成範囲を所定のザイズの画像形成媒体に印刷するための印刷データを生成するページ編集部４５とを有するように構成する。この印刷データにより印刷させることにより、所定のサイズの画像形成媒体に、ウェブページの所望の範囲を適切に印刷させることができる。【選択図】図２
2011081647.tif 000002
【特許請求の範囲】
【請求項１】
ウェブページに基づいて画像形成データを生成する画像形成データ生成装置であって、
ウェブページを表示する表示制御手段と、
前記ウェブページにおける所定の画像形成媒体サイズの画像形成媒体により画像形成すべき画像形成範囲の指定を受け付ける範囲指定受付手段と、
受け付けた前記画像形成範囲を前記画像形成媒体サイズで画像形成するための画像形成データを生成する画像形成データ生成手段と
を有する画像形成データ生成装置。
【請求項２】
前記範囲指定受付手段は、表示されている前記ウェブページ上に、前記画像形成媒体サイズにより画像形成可能な画像形成可能範囲を示す可能範囲枠を移動可能に表示させ、当該可能範囲枠の位置により、前記画像形成範囲の指定を受付ける
請求項１に記載の画像形成データ生成装置。
【請求項３】
前記画像形成範囲内における画像形成を不要とする不要部分の指定を受け付ける不要指定受付手段を更に有し、
前記範囲指定受付手段は、前記画像形成範囲から前記不要部分を除いた部分を含む範囲を新たな画像形成範囲として受け付け、
前記画像形成データ生成手段は、前記新たな画像形成範囲の画像形成データを生成する
請求項１又は請求項２に記載の画像形成データ生成装置。
【請求項４】
前記範囲指定受付手段は、前記ウェブページから前記不要部分を除いた削除後のウェブページにおける、もとの前記画像形成範囲に含まれるようになる範囲を、前記新たな画像形成範囲として受け付ける
請求項３に記載の画像形成データ生成装置。
【請求項５】
前記画像形成データに基づいて、前記画像形成媒体サイズの前記画像形成媒体に画像を形成する画像形成手段を更に有する
請求項１乃至請求項４のいずれか一項に記載の画像形成データ生成装置。
【請求項６】
コンピューターに、ウェブページに基づいて画像形成データを生成させるための画像形成データ生成プログラムであって、
前記コンピューターを、
ウェブページを表示する表示制御手段と、
前記ウェブページにおける所定の画像形成媒体サイズの画像形成媒体により画像形成すべき画像形成範囲の指定を受け付ける範囲指定受付手段と、
受け付けた前記画像形成範囲を前記画像形成媒体サイズで画像形成するための画像形成データを生成する画像形成データ生成手段と
して機能させる画像形成データ生成プログラム。
【発明の詳細な説明】
【技術分野】
【０００１】
本発明は、ウェブページに基づいて画像形成データを生成する画像形成データ生成装置等に関する。
【背景技術】
【０００２】
携帯電話機を利用して、ウェブサーバーにアクセスしてウェブページを閲覧することが行なわれている。この場合には、例えば、ユーザーは、携帯電話機に所望する情報が含まれるウェブページのＵＲＬ（Uniform Resource Locator）を入力して、ウェブページを閲覧する。
【０００３】
例えば、携帯電話機においてＵＲＬを入力するには、手間がかかるという問題がある。このような問題に対して、携帯電話機から電子看板装置に、電子看板装置に表示されている広告に関連するＵＲＬを送信するように指令を送り、電子看板装置からＵＲＬを取得して、当該ＵＲＬを使用してウェブページを容易に閲覧することのできる技術が知られている（特許文献１参照）。
【先行技術文献】
【特許文献】
【０００４】
【特許文献１】特開平１０−２３２８９５号公報
【発明の概要】
【発明が解決しようとする課題】
【０００５】
上記した特許文献１の技術によると、ＵＲＬをユーザーが入力することなく、所望する情報を容易に携帯電話機に表示させることができる。一方、必要な情報を携帯電話機に表示させるだけでなく、必要な情報を紙等の画像形成媒体に容易に印刷させたいという要請がある。例えば、携帯電話機に表示されたウェブページを印刷させる場合には、携帯電話機とプリンターとの間で直接通信できる構成を携帯電話機とプリンターとに備えなければならない。また、携帯電話機がプリンターと直接通信できる場所になくてはならず、印刷できる環境が限られてしまう。
【０００６】
また、ウェブページを印刷する際には、ウェブページの一部が別のページに印刷されてしまったり、一部が印刷されなかったりするという問題が発生する場合もある。
【０００７】
本発明は、上記課題に鑑みなされたものであり、その目的は、ウェブページを所望のサイズの画像形成媒体に形成するための画像形成データを容易且つ適切に生成することのできる技術を提供することにある。
【課題を解決するための手段】
【０００８】
上記目的達成のため、本発明の第１の観点に係る画像形成データ生成装置は、ウェブページに基づいて画像形成データを生成する画像形成データ生成装置であって、ウェブページを表示する表示制御手段と、ウェブページにおける所定の画像形成媒体サイズの画像形成媒体により画像形成すべき画像形成範囲の指定を受け付ける範囲指定受付手段と、受け付けた前記画像形成範囲を前記画像形成媒体サイズで画像形成するための画像形成データを生成する画像形成データ生成手段とを有する。係る画像形成データ生成装置は、ウェブページにおける所定の画像形成媒体サイズの画像形成媒体により画像形成すべき画像形成範囲の指定を受け付け、受け付けた画像形成範囲を画像形成媒体サイズで画像形成するための画像形成データを生成する。従って、この画像形成データにより画像形成させることにより、所定のサイズの画像形成媒体に、ウェブページの所望の範囲の画像を適切に形成させることができる。
【０００９】
上記画像形成データ生成装置において、範囲指定受付手段は、表示されているウェブページ上に、画像形成媒体サイズにより画像形成可能な画像形成可能範囲を示す可能範囲枠を移動可能に表示させ、当該可能範囲枠の位置により、画像形成範囲の指定を受付けるようにしてもよい。係る画像形成データ生成装置によると、可能範囲枠を移動させることにより、容易且つ適切にウェブページにおける画像形成させる範囲をユーザーに指定させることができる。
【００１０】
また、上記画像形成データ生成装置において、画像形成範囲内における画像形成を不要とする不要部分の指定を受け付ける不要指定受付手段を更に有し、範囲指定受付手段は、画像形成範囲から不要部分を除いた部分を含む範囲を新たな画像形成範囲として受け付け、画像形成データ生成手段は、新たな画像形成範囲の画像形成データを生成するようにしてもよい。係る画像形成データ生成装置によると、指定された範囲における不要部分が画像形成されることを容易且つ適切に防止することができる。
【００１１】
また、上記画像形成データ生成装置において、範囲指定受付手段は、ウェブページから不要部分を除いた削除後のウェブページにおける、もとの前記画像形成範囲に含まれるようになる範囲を、新たな画像形成範囲として受け付けるようにしてもよい。係る画像形成データ生成装置によると、不要部分を除いたことにより、画像形成可能な範囲に、別の部分を追加させて画像形成させることができる。
【００１２】
また、上記画像形成データ生成装置において、画像形成データに基づいて、画像形成媒体サイズの画像形成媒体に画像を形成する画像形成手段を更に有するようにしてもよい。係る画像形成データ生成装置によると、画像形成媒体に画像を形成させることができる。
【００１３】
また、上記目的達成のため、本発明の第２の観点に係る画像形成データ生成プログラムは、コンピューターに、ウェブページに基づいて画像形成データを生成させるための画像形成データ生成プログラムであって、コンピューターを、ウェブページを表示する表示制御手段と、ウェブページにおける所定の画像形成媒体サイズの画像形成媒体により画像形成すべき画像形成範囲の指定を受け付ける範囲指定受付手段と、受け付けた画像形成範囲を画像形成媒体サイズで画像形成するための画像形成データを生成する画像形成データ生成手段として機能させる。係る画像形成データ生成プログラムを実行するコンピューターは、ウェブページにおける所定の画像形成媒体サイズの画像形成媒体により画像形成すべき画像形成範囲の指定を受け付け、受け付けた画像形成範囲を画像形成媒体サイズで画像形成するための画像形成データを生成する。従って、この画像形成データにより画像形成させることにより、所定のサイズの画像形成媒体に、ウェブページの所望の範囲の画像を適切に形成させることができる。
【図面の簡単な説明】
【００１４】
【図１】本発明の一実施形態に係る画像形成処理システムの構成図である。
【図２】本発明の一実施形態に係る画像形成処理システムの各装置の機能構成図である。
【図３】本発明の一実施形態に係る画像形成処理システムの処理シーケンスの第１の例を説明する図である。
【図４】本発明の一実施形態に係る画像形成処理システムの処理シーケンスの第２の例を説明する図である。
【図５】本発明の一実施形態に係る画像形成処理システムの処理シーケンスの第３の例を説明する図である。
【発明を実施するための形態】
【００１５】
本発明の実施形態について、図面を参照して説明する。なお、以下に説明する実施形態は特許請求の範囲に係る発明を限定するものではなく、また実施形態の中で説明されている諸要素及びその組み合わせの全てが発明の解決手段に必須であるとは限らない。
【００１６】
まず、本発明の一実施形態に係る画像形成処理システムについて説明する。
【００１７】
図１は、本発明の一実施形態に係る画像形成処理システムの構成図である。
【００１８】
画像形成処理システム１は、１以上の携帯端末の一例としての携帯電話機２と、１以上の管理サーバー３と、１以上の画像形成データ生成装置及び画像形成装置の一例としてのプリンター４とを有する。本実施形態では、携帯電話機２は、ＩＣ（Integrated Circuit）カードの機能が内蔵されている。また、プリンター４は、ＩＣカードや、携帯電話機２のＩＣカード機能との間でデータ通信を行うことのできるカードリーダー５１（図２参照）を有している。携帯電話機２と、管理サーバー３と、プリンター４とは、ネットワーク５に接続可能となっている。本実施形態では、ネットワーク５は、少なくとも携帯電話機２と管理サーバー３とが通信することができ、管理サーバー３と、プリンター４とが通信することができればよい。ネットワーク５は、有線回線や、無線回線を含んでいてもよく、また、インターネットを含んでいてもよい。
【００１９】
図２は、本発明の一実施形態に係る画像形成処理システムの各装置の機能構成図である。図２Ａは、携帯電話機を示し、図２Ｂは、管理サーバーを示し、図２Ｃは、プリンターを示している。
【００２０】
携帯電話機２は、表示部２１と、入力部２２と、通信部２３と、表示処理部２４と、ページ情報保持部２５と、通信先算出部２６と、記憶部２７と、近接通信部２９とを有する。
【００２１】
表示部２１は、例えば、液晶画面等を有し、各種情報を表示する。入力部２２は、例えば、キー部、タッチパネル部等を有し、ユーザーからの各種指示等の入力を受け付ける。例えば、入力部２２は、表示部２１に表示させるウェブページのＵＲＬ（位置情報）を表示指示として受け付ける。また、入力部２２は、表示部２１に表示されたウェウページを選択対象とする指定を受け付ける。本実施形態では、選択対象として、１つのウェブページを受け付けることや、複数のウェブページの集合を受け付けることができるようになっている。通信部２３は、無線通信機能を有し、ネットワーク５の無線回線を介して、他の装置とのデータの送受信処理を行う。表示処理部２４は、画面表示に関わる各種処理を行う機能（例えば、ウェブページの表示処理を行うウェブブラウザ機能）を有する。例えば、表示処理部２４は、入力部２２が受け付けたウェブページのＵＲＬ（位置情報）の指定に基づいて、通信部２３を介してウェブページの実データを受け取って、表示部２１に表示させる。ここで、ウェブページの実データとは、ウェブページを印刷するために実際に必要なデータであり、例えば、ＨＴＭＬ形式のウェブページであれば、ＨＴＭＬ形式のソースデータと、ソースデータに含まれている画像データ等を含む。
【００２２】
記憶部２７は、各種情報を記憶する。本実施形態では、記憶部２７は、当該携帯電話機２のユーザーを識別するための識別情報（ＩＤ）２８を記憶する。近接通信部２９は、例えば、数十ｃｍ程度の範囲にあるカードリーダーとの間で各種情報の通信を行う。本実施形態では、近接通信部２９は、記憶部２７に記憶されたＩＤをカードリーダーに送信する。本実施形態では、記憶部２７及び近接通信部２９によって所定のＩＣカード（例えば、Ｅｄｙ、Ｓｕｉｃａ（登録商標）、Ｆｅｌｉｃａ（登録商標）等）の機能を実現している。このため、記憶部２７のＩＤは、ＩＣカードの機能に対して与えられる識別情報となっている。
【００２３】
通信先算出部２６は、記憶部２７に記憶されたＩＤに基づいて、選択対象のウェブページのＵＲＬを保存要求する時にアクセスすべき管理サーバー３のアドレスを、予め決められたアルゴリズムに従って特定（算出）する。本実施形態では、通信先算出部２６は、予め設定されている管理サーバー３における保存のためのＵＲＬ（例えば、ｈｔｔｐ：／／ｋａｎｒｉｓｅｒｖｅｒ／ｋｏｕｓｈｉｎ）に対して、ＩＤ（例えば、１２３４５６７８）を付加したＵＲＬ（例えば、ｈｔｔｐ：／／ｋａｎｒｉｓｅｒｖｅｒ／ｋｏｕｓｈｉｎ／１２３４５６７８）を算出する。なお、複数の管理サーバー３をＩＤによって切り替えて用いる場合には、ＩＤに基づいて、対応する管理サーバーにおける保存のためのＵＲＬを特定し、当該対応する管理サーバーのＵＲＬに対して、ＩＤを付加することにより、ＵＲＬを算出するようにしてもよい。このように、ＩＤによって、管理サーバー３を切り替えるようにすると、管理サーバー３への負荷を適切に分散することができる。
【００２４】
ページ情報保存部２５は、入力部２２により選択対象として指定されたウェブページのＵＲＬを、管理サーバー３に保存させる処理を行う。具体的には、ページ情報保存部２５は、通信先算出部２６から保存要求時にアクセスすべき管理サーバー３のアドレスを受け取り、当該アドレスを用いて管理サーバー３にアクセスして、選択対象の１以上のウェブページのＵＲＬを渡す。
【００２５】
管理サーバー３は、通信部３１と、ページ情報更新部３２と、ページ情報配信部３３と、記憶部３４とを有する。
【００２６】
通信部３１は、ネットワーク５を介して、他の装置とデータの送受信を行う。記憶部３４は、各種情報を記憶する。本実施形態では、記憶部３４は、保存先情報３５と、ページ情報（ウェブページ情報）３６とを記憶する。保存先情報３５は、各ＩＤと、当該ＩＤに対応するページ情報を保存する記憶部３４の記憶位置とを対応付けて記憶する。ページ情報３６は、選択対象のウェブページを特定可能な情報であり、例えば、選択対象のウェブページのＵＲＬを含む情報である。
【００２７】
ページ情報更新部３２は、管理サーバー３の保存要求時にアクセスすべきアドレスに対して、アクセスがあった場合に、アクセス時に送信されているＵＲＬに含まれるＩＤに対応する記憶部３４の記憶位置を保存先情報３５から把握し、当該記憶位置に、送信されている選択対象の１以上のウェブページのＵＲＬをページ情報として格納する。
【００２８】
ページ情報配信部３３は、管理サーバー３のページ情報の配信要求時にアクセスすべきアドレスに対して、アクセスがあった場合に、アクセス時に送信されているＵＲＬに含まれるＩＤに対応する記憶部３４の記憶位置を保存先情報３５から把握し、当該記憶位置に格納されているページ情報（本実施形態では、選択対象の１以上のウェブページのＵＲＬ）を取り出して、通信部３１を介してアクセス元に配信する。
【００２９】
プリンター４は、表示部４１と、範囲指定受付手段及び不要指定受付手段の一例としての入力部４２と、通信部４３と、画像形成手段の一例としての印刷部４４と、画像形成データ生成手段の一例としてのページ編集部４５と、表示制御手段の一例としての表示処理部４６と、ページ情報取得部４７と、通信先算出部４８と、記憶部４９と、カードリーダー５１とを有する。なお、入力部４２と、通信部４３と、ページ編集部４５と、表示処理部４６と、ページ情報取得部４７と、通信先算出部４８とは、プリンター４内のＣＰＵ（Central Processing Unit）、ＲＯＭ（Read Only Memory）、ＲＡＭ（Random Access Memory）等を含むコンピューターが、プログラムを実行することにより構成される。
【００３０】
表示部４１は、例えば、液晶画面等を有し、各種情報を表示する。入力部４２は、例えば、キー部、表示部４１に重ねて設けられたタッチパネル部等を有し、ユーザーからの各種指示等の入力を受け付ける。例えば、入力部４２は、表示部４１に表示させるウェブページのＵＲＬ（位置情報）を表示指示として受け付ける。また、入力部４２は、ページ情報が複数ある場合における表示させるページの遷移指示を受け付ける。例えば、入力部４２は、前の順番のウェブページへの遷移指示を、前ページボタンへの押下により受け付け、次の順番のウェブページへの遷移指示を次ページボタンへの押下により受け付ける。また、入力部４２は、ウェブページにおける印刷する範囲（画像形成範囲）の指定を受け付ける。入力部４２は、印刷する範囲として、１つのウェブページにおける複数の範囲の指定を受け付けてもよく、複数のウェブページのそれぞれにおける１以上の範囲の指定を受け付けてもよい。また、例えば、ウェブページ上に所定のサイズ（例えば、Ａ４サイズ、はがきサイズ等）の画像形成媒体に印刷させる印刷範囲を示す枠を表示させておき、入力部４２は、当該枠を変形、又は移動させることにより、印刷範囲の指定を受け付けるようにしてもよい。また、入力部４２は、画像形成範囲の中の印刷に不要な部分（不要部分）の指定を受け付けて、画像形成範囲から不要部分を除いた部分を印刷する範囲として受け付けてもよく、この場合に、不要部分を除くことにより、既に指定してある画像形成範囲に含まれることとなる部分についても、印刷する対象としてもよい。通信部４３は、ネットワーク５を介して、他の装置とのデータの送受信処理を行う。印刷部４４は、印刷データに基づいて、紙等の画像形成媒体に画像を形成（印刷）する。カードリーダー５１は、ＩＣカード、又はＩＣカード機能を有する携帯電話機２との間でデータ通信を行う。本実施形態では、カードリーダー５１は、携帯電話機２から近接通信部２９を介して、記憶部２７のＩＤを受信する。記憶部４９は、各種情報を記憶する。例えば、記憶部４９は、カードリーダー５１によりに受信したＩＤを記憶する。
【００３１】
通信先算出部４８は、記憶部４９に記憶されたＩＤ５０に基づいて、選択対象のウェブページのＵＲＬを配信要求する時にアクセスすべき管理サーバー３のアドレスを、予め決められたアルゴリズムに従って特定（算出）する。本実施形態では、通信先算出部４８は、予め設定されている管理サーバー３の配信させるためのＵＲＬ（例えば、ｈｔｔｐ：／／ｋａｎｒｉｓｅｒｖｅｒ／ｈａｉｓｈｉｎ）に対して、ＩＤ（例えば、１２３４５６７８）を付加したＵＲＬ（ｈｔｔｐ：／／ｋａｎｒｉｓｅｒｖｅｒ／ｈａｉｓｈｉｎ／１２３４５６７８）を算出する。なお、複数の管理サーバー３をＩＤによって切り替えて用いる場合には、ＩＤに基づいて、対応する管理サーバーにおける配信のためのＵＲＬを特定し、当該対応する管理サーバーのＵＲＬに対して、ＩＤを付加することにより、ＵＲＬを算出するようにしてもよい。
【００３２】
ページ情報取得部４７は、管理サーバー３に格納されているページ情報を取得する処理を行う。具体的には、ページ情報取得部４７は、通信先算出部４８から配信要求時にアクセスすべき管理サーバー３のアドレスを受け取り、当該アドレスを用いて管理サーバー３にアクセスして、ＩＤに対応付けられているページ情報を受信し、表示処理部４６に渡す。
【００３３】
ページ編集部４５は、ウェブページの実データに基づいて、印刷データ（画像形成データ）を生成する。
例えば、ページ編集部４５は、入力部４２により、ウェブページの印刷範囲の指定を受け付けている場合には、当該印刷範囲の画像を形成するための印刷データを生成する。例えば、ページ編集部４５は、複数の範囲が指定されている場合には、複数の範囲を組み合わせた画像を印刷するための印刷データを生成する。範囲が指定された場合には、ページ編集部４５は、例えば、ウェブページの指定された範囲に含まれるタグ部分（１つのまとまりとして認識することのできるタグで囲まれているデータの部分（例えば、ｉｍｇタグであれば、”＜ｉｍｇ  ｓｒｃ＝・・・・・＞”の部分））を割り出し、当該割り出されたタグ部分のみで構成されるウェブページを再構成し、当該再構成したウェブページに基づいて印刷データを生成する。また、例えば、所定のサイズの画像形成サイズの印刷範囲を示す枠により印刷範囲が指定された場合には、ページ編集部４５は、当該枠内に含まれるタグ部分によりウェブページを再構成して、当該ウェブページに基づいて所定サイズの画像形成媒体に印刷するための印刷データを生成する。また、印刷範囲の中に不要部分が指定されている場合には、ページ編集部４５は、不要部分に対応するタグ部分を除いてウェブページを再構成して、当該ウェブページに基づいて印刷データを生成する。
【００３４】
表示処理部４６は、画面表示に関わる各種処理を行う機能（例えば、ウェブページの表示処理を行うウェブブラウザ機能）を有する。例えば、表示処理部４６は、入力部４２が受け付けたウェブページのＵＲＬ（位置情報）の指定に基づいて、通信部４３を介してウェブページの実データを受け取って、表示部４１に表示させる。また、表示処理部４６は、ページ情報取得部４７から受け取ったページ情報に基づいたウェブページを表示する。例えば、表示処理部４６は、ページ情報に１つのウェブページのＵＲＬが含まれる場合には、当該ＵＲＬを用いて、通信部４３を介して、当該ウェブページを受信して表示する。また、ページ情報に複数のウェブページのＵＲＬが含まれる場合には、表示処理部４６は、ページ情報に含まれる複数のＵＲＬの順番に従ってウェブページが遷移するように表示制御する。具体的には、表示処理部４６は、ページ情報中の最初のＵＲＬのウェブページを受信して表示し、入力部４２により、次の順番のウェブページを表示させる次ページボタンが押下された場合には、次の指示のＵＲＬによりウェブページを取得して表示する処理を実行し、また、或るウェブページを表示させている場合に、前ページボタンが押下された場合には、そのウェブページの前の順番のＵＲＬに基づいてウェブページを取得して表示させる。なお、入力部４２によるウェブページの遷移の指示があるたびにＵＲＬが示すウェブサーバーからウェブページを取得せずに、ページ情報に含まれるＵＲＬのウェブページの実データを予め取得して記憶部４９に格納しておき、記憶部４９の情報に基づいてウェブページを表示させるようにしてもよい。
【００３５】
次に、本発明の一実施形態に係る画像形成処理システムにおける処理動作について説明する。
【００３６】
図３は、本発明の一実施形態に係る画像形成処理システムの処理シーケンスの第１の例を説明する図である。
【００３７】
処理シーケンスの第１の例は、例えば、ユーザーが外出先において、携帯電話機２により、ウェブページを表示させたときに、印刷或いは表示の選択対象として、表示しているウェブページを登録しておき、後で、登録したウェブページをプリンター４で表示したり、印刷したりするような場面を想定しているものである。
【００３８】
携帯電話機２において、入力部２２がユーザーからウェブページの表示指示、例えば、ＵＲＬを受け付けると（ステップＳ１）、表示処理部２４が受け付けたＵＲＬに対応するウェブページを、通信部２３を介して、図示しないウェブサーバーから受信し、受信したウェブページを表示部２１に表示する（ステップＳ２）。もし、ユーザーが他のウェブページを閲覧する場合には、ステップＳ１及びＳ２の処理が繰り返し実行される。
【００３９】
そして、ウェブページを表示させている際に、携帯電話機２の入力部２２が、表示されているウェブページを選択対象とする指示を受け付けた場合、例えば、所定の登録ボタンが押下された場合（ステップＳ３）には、ページ情報保存部２５は、表示部２１に表示されているウェブページの位置情報（ＵＲＬ）を取得し（ステップＳ４）、通信先算出部２６が、記憶部２７のＩＤに基づいて、選択対象のウェブページのＵＲＬを保存要求する時にアクセスすべき管理サーバー３のＵＲＬを特定する（ステップＳ５）。次いで、ページ情報保存部２５は、通信部２３を介して、特定した管理サーバー３のＵＲＬを用いて、管理サーバー３へアクセスし、選択対象のウェブページのＵＲＬを送信する（ステップＳ６）
【００４０】
管理サーバー３では、ページ情報更新部３２が、携帯電話機２がアクセスに用いたＵＲＬから携帯電話機２に格納されているＩＤを特定し（ステップＳ７）、保存先情報３５から当該ＵＲＬに対応するページ情報を格納する記憶部３４の記憶位置を把握し、記憶部３４の当該記憶位置が示す領域に、受信した選択対象のウェブページのＵＲＬをページ情報として保存する（ステップＳ８）。これにより、携帯電話機２において表示させたウェブページの内のユーザーが登録しておきたいウェブページのＵＲＬを、適切に管理サーバー３に格納させることができる。
【００４１】
この後、ユーザーによって、プリンター４のカードリーダー５１に対して携帯電話機２がかざされると、プリンター４のカードリーダー５１が通信可能な位置に携帯電話機２があることを検出し、携帯電話機２に対してＩＤ要求を送信する（ステップＳ９）。これに対して、携帯電話機２の近接通信部２９が、記憶部２７からＩＤを取得して、プリンター４にＩＤを送信する（ステップＳ１０）。
【００４２】
プリンター４では、カードリーダー５１が受信した携帯電話機２のＩＤを記憶部４９に格納し、通信先算出部４８が記憶部４９に格納されたＩＤに基づいて、当該ＩＤに対応付けられている選択対象のウェブページのＵＲＬを配信要求する時にアクセスすべき管理サーバー３のアドレスを、予め決められたアルゴリズムに従って特定する（ステップＳ１１）。次いで、ページ情報取得部４７は、通信先算出部４８から配信要求時にアクセスすべき管理サーバー３のアドレスを受け取り、当該アドレスを用いて管理サーバー３にアクセスして、登録されているページ情報の送信を要求する（ステップＳ１２）。
【００４３】
管理サーバー３では、通信部３１を介して、ページ情報配信部３３がページ情報の送信要求を受信し、アクセス時に送信されているＵＲＬに含まれるＩＤを特定し（ステップＳ１３）、当該ＩＤに対応する記憶部３４の記憶位置を保存先情報３５から把握し、当該記憶位置に格納されているページ情報を取り出し（ステップＳ１４）、通信部３１を介してアクセス元に配信する（ステップＳ１５）。
【００４４】
プリンター４では、通信部４３を介して、ページ情報取得部４７がページ情報を取得し、当該ページ情報を表示処理部４６に渡す。表示処理部４６は、受け取ったページ情報に含まれているＵＲＬを用いて、通信部４３を介して、当該ウェブページを要求し（ステップＳ１６）、要求したウェブページを受信し（ステップＳ１７）、当該ウェブページを表示部４１に表示させる。次いで、ページ編集部４５は、ウェブページの実データに基づいて、印刷データを生成し、印刷部４４が生成された印刷データに基づいて画像形成媒体にウェブページを印刷する（ステップＳ１８）。このような処理により、携帯電話機２において、ユーザーに指定されていたウェブページを、プリンター４において容易且つ適切に印刷することができる。
【００４５】
図４は、本発明の一実施形態に係る画像形成処理システムの処理シーケンスの第２の例を説明する図である。
【００４６】
処理シーケンスの第２の例は、例えば、ユーザーが外出先において、携帯電話機２により、あるウェブページを表示させ、そのウェブページのリンクを辿る等して、複数のウェブページを逐次表示させていっている際に、複数のウェブページの中でユーザーが印刷或いは表示の対象として指示した複数のウェブページを登録しておき、後で、登録したウェブページをプリンター４で閲覧したり、印刷したりする場面を想定しているものである。
【００４７】
携帯電話機２において、入力部２２がユーザーからウェブページの表示指示、例えば、ＵＲＬの指定（ＵＲＬの直接入力や、記憶されているＵＲＬの指定等）を受け付けると（ステップＳ２１）、表示処理部２４が受け付けたＵＲＬに対応するウェブページを、通信部２３を介してウェブサーバーから受信し、受信したウェブページを表示部２１に表示する（ステップＳ２２）。ここで、他のウェブページの表示指示を受け付けた場合には、ステップＳ２１及びステップＳ２２の処理が再び実行される。
【００４８】
このようにして、ウェブページを表示させている際に、携帯電話機２の入力部２２が、表示されているウェブページを選択対象の１つとする指示を受け付けた場合、例えば、所定の一括登録ボタンが押下された場合（ステップＳ２３）には、ページ情報保存部２５は、表示されているウェブページの位置情報（ＵＲＬ）を取得し（ステップＳ２４）、当該ＵＲＬを登録対象の１つとして図示しない記憶部に追加格納する（ステップＳ２５）。なお、ページ情報保存部２５は、例えば、選択された順に並ぶようにＵＲＬを格納する。ここで、他のウェブページの表示指示を受け付けた場合には、ステップＳ２１から始まる処理が再び実行される。
【００４９】
その後、入力部２２が選択対象の選択を終了する指示を受け付けた場合（例えば、登録終了ボタンが押下された場合）（ステップＳ２６）には、通信先算出部２６が、記憶部２７のＩＤに基づいて、選択対象のウェブページのＵＲＬを保存要求する時にアクセスすべき管理サーバー３のＵＲＬを特定する（ステップＳ２７）。次いで、ページ情報保存部２５は、通信部２３を介して、特定した管理サーバー３のＵＲＬを用いて、管理サーバー３へアクセスし、登録対象として、図示しない記憶部に記憶されている１以上の選択対象のウェブページのＵＲＬを送信する（ステップＳ２８）
【００５０】
管理サーバー３では、ページ情報更新部３２が、携帯電話機２がアクセスに用いたＵＲＬから携帯電話機２におけるＩＤを特定し（ステップＳ２９）、保存先情報３５から当該ＵＲＬに対応するページ情報を格納する記憶位置を把握し、当該記憶位置に対応する記憶部３４の領域に、受信した選択対象の１以上のウェブページのＵＲＬをページ情報として保存する（ステップＳ３０）。これにより、携帯電話機２において複数表示させたウェブページの内のユーザーに指定された１以上のウェブページのＵＲＬを、適切に管理サーバー３に格納させることができる。
【００５１】
この後、ユーザーによって、プリンター４のカードリーダー５１に対して携帯電話機２がかざされると、プリンター４のカードリーダー５１が通信可能な位置に携帯電話機２があることを検出し、携帯電話機２に対してＩＤ要求を送信する（ステップＳ３１）。これに対して、携帯電話機２の近接通信部２９が、記憶部２７からＩＤを取得して、プリンター４にＩＤを送信する（ステップＳ３２）。
【００５２】
プリンター４では、カードリーダー５１が受信した携帯電話機２のＩＤを記憶部４９に格納し、通信先算出部４８が記憶部４９に格納されたＩＤに基づいて、選択対象のウェブページのＵＲＬを配信要求する時にアクセスすべき管理サーバー３のアドレスを、予め決められたアルゴリズムに従って特定する（ステップＳ３３）。次いで、ページ情報取得部４７は、通信先算出部４８から配信要求時にアクセスすべき管理サーバー３のアドレスを受け取り、当該アドレスを用いて管理サーバー３にアクセスして、登録されているページ情報の送信を要求する（ステップＳ３４）。
【００５３】
管理サーバー３では、通信部３１を介して、ページ情報配信部３３がページ情報の送信要求を受信し、アクセス時に送信されているＵＲＬに含まれるＩＤを特定し（ステップＳ３５）、当該ＩＤに対応する記憶部３４の記憶位置を保存先情報３５から把握し、当該記憶位置に格納されているページ情報を取り出し（ステップＳ３６）、通信部３１を介してアクセス元に配信する（ステップＳ３７）。
【００５４】
プリンター４では、通信部４３を介して、ページ情報取得部４７がページ情報を取得し、当該ページ情報を表示処理部４６に渡す。表示処理部４６は、受け取ったページ情報に含まれている最初のＵＲＬを用いて、通信部４３を介して、当該ウェブページを要求し（ステップＳ３８）、要求したウェブページを受信し（ステップＳ３９）、当該ウェブページを表示部４１に表示させる（ステップＳ４０）。以降において、表示処理部４６は、入力部４２により、ウェブページの表示変更の指示を受け付けた場合（ステップＳ４１）には、ページ情報におけるＵＲＬの順番に基づいて、変更の指示（前の順番のウェブページへの変更の指示、又は次の順番のウェブページへの変更の指示）に応じたＵＲＬを特定し、対応するＵＲＬを用いて、ステップＳ３８〜Ｓ４０の処理をして、ウェブページを表示部４１に表示させる。これによって、携帯電話機２において、ユーザーに指定されていた複数のウェブページを、プリンター４において、ユーザーに指定された順番に基づいて遷移表示することができる。
【００５５】
このようにしてウェブページを表示している際に、入力部４２により、ウェブページの印刷指示を受け付けた場合（ステップＳ４２）には、ページ編集部４５が表示されているウェブページの実データに基づいて、印刷データを生成し、印刷部４４が生成された印刷データに基づいて画像形成媒体にウェブページ（ウェブページの画像）を印刷する（ステップＳ４３）。このような処理により、携帯電話機２において、ユーザーに指定されていた複数のウェブページを、プリンター４において容易且つ適切に印刷することができる。
【００５６】
図５は、本発明の一実施形態に係る画像形成処理システムの処理シーケンスの第３の例を説明する図である。
【００５７】
処理シーケンスの第３の例は、例えば、ユーザーがプリンター４において、管理サーバー３のページ情報に登録されているウェブページを表示させ、そのウェブページの中の所望部分を選択して印刷する場面を想定しているものである。なお、ウェブページのページ情報を管理サーバー３に登録する処理については、図３に示すステップＳ１〜Ｓ８、又は図４に示すステップＳ２１〜Ｓ３０と同様な処理によって実行することができるので、ここでは、それ以降の処理について説明する。
【００５８】
ユーザーによって、プリンター４のカードリーダー５１に対して携帯電話機２がかざされると、プリンター４のカードリーダー５１が通信可能な位置に携帯電話機２があることを検出し、携帯電話機２に対してＩＤ要求を送信する（ステップＳ５１）。これに対して、携帯電話機２の近接通信部２９が、記憶部２７からＩＤを取得して、プリンター４にＩＤを送信する（ステップＳ５２）。
【００５９】
プリンター４では、カードリーダー５１が受信した携帯電話機２のＩＤを記憶部４９に格納し、通信先算出部４８が記憶部４９に格納されたＩＤに基づいて、選択対象のウェブページのＵＲＬを配信要求する時にアクセスすべき管理サーバー３のアドレスを、予め決められたアルゴリズムに従って特定する（ステップＳ５３）。次いで、ページ情報取得部４７は、通信先算出部４８から配信要求時にアクセスすべき管理サーバー３のアドレスを受け取り、当該アドレスを用いて管理サーバー３にアクセスして、登録されているページ情報の送信を要求する（ステップＳ５４）。
【００６０】
管理サーバー３では、通信部３１を介して、ページ情報配信部３３がページ情報の送信要求を受信し、アクセス時に送信されているＵＲＬに含まれるＩＤを特定し（ステップＳ５５）、当該ＩＤに対応する記憶部３４の記憶位置を保存先情報３５から把握し、当該記憶位置に格納されているページ情報を取り出し（ステップＳ５６）、通信部３１を介してアクセス元に配信させる（ステップＳ５７）。
【００６１】
プリンター４では、通信部４３を介して、ページ情報取得部４７がページ情報を取得し、当該ページ情報を表示処理部４６に渡す。表示処理部４６は、受け取ったページ情報に含まれているＵＲＬを用いて、通信部４３を介して、当該ウェブページを要求し（ステップＳ５８）、要求したウェブページを受信し（ステップＳ５９）、当該ウェブページを表示部４１に表示させる（ステップＳ６０）。
【００６２】
次いで、入力部４２が、ユーザーからウェブページの中でユーザーが印刷したい範囲の指定を受け付ける（ステップＳ６１）。ここで、複数の印刷したい範囲を受け付けてもよい。ページ編集部４５は、ウェブページの指定された範囲に含まれるタグ部分を割り出し（ステップＳ６２）、表示処理部４６は、ウェブページにおける割り出したタグ部分に対応する表示範囲を反転させて表示部４１に表示させる（ステップＳ６３）。
【００６３】
次いで、入力部４２は、ユーザーから反転表示した部分が、指定した範囲であるか否かの確認を受け付け（ステップＳ６４）、指定された範囲であるとの確認を受けた場合には、ページ編集部４５は、割り出したタグ部分のみのウェブページを再構成し、表示処理部４６は、当該再構成したウェブページを表示部４１に表示させる（ステップＳ６５）。なお、指定された範囲でないとの確認を受けた場合には、ステップＳ６１からの処理を再度行う。
【００６４】
次いで、入力部４２は、再構成したウェブページを印刷するか否かの指示を受け付け（ステップＳ６６）、印刷するとの確認を受け付けた場合には、ページ編集部４５は、再構成されたウェブページの実データに基づいて、印刷データを生成し、印刷部４４が生成された印刷データに基づいて画像形成媒体にウェブページを印刷する（ステップＳ６７）。このような処理により、プリンター４において、ウェブページのうちのユーザーにより指定された範囲の画像を容易且つ適切に印刷することができる。
【００６５】
以上、本発明を実施形態に基づいて説明したが、本発明は上述した実施の形態に限られず、他の様々な態様に適用可能である。
【００６６】
例えば、上記実施形態では、携帯電話機２として、ＩＣカード機能が内蔵されている例を示していたが、本発明は、これに限られず、例えば、携帯電話機２には、ＩＣカード機能が内蔵されていなくてもよく、この場合には、携帯電話機２がＩＤを記憶する記憶部を備えていればよい。このＩＤは、入力部２２によりユーザーに入力させるようにしてもよい。
【００６７】
また、上記実施形態では、プリンター４として、カードリーダー５１が備えられている例を示していたが、本発明はこれに限られず、プリンター４は、カードリーダー５１を備えていなくてもよく、入力部４２を介してユーザーからＩＤを受け付けるようにしてもよい。
【００６８】
また、上記実施形態では、管理サーバー３は、ページ情報として、ＵＲＬを記憶するようにし、プリンター４に対して、ＵＲＬを含むページ情報を送信させるようにしていたが、本発明はこれに限られず、管理サーバー３において、ＵＲＬに基づいて、できるだけ早期にウェブサーバーからウェブページの実データを取得し、ウェブページの実データをページ情報として記憶し、当該ウェブページの実データを含むページ情報をプリンターに送信するようにしてもよい。このようにすると、管理サーバー３にウェブページの実データを格納した後において、ＵＲＬが示すウェブページが変更された場合にあっても、変更前の内容のウェブページをプリンター４で表示や印刷させることができる。
【００６９】
また、上記実施形態では、プリンター４は、携帯電話機２からＩＤを受け付けてから、管理サーバー３からページ情報を取得して、ウェブページを表示、印刷等するようにしていたが、本発明はこれに限られず、予めプリンター４にＩＤを格納させておき、プリンター４が任意のタイミングで管理サーバー３からページ情報を取得し、対応するウェブページの表示や印刷をするようにしてもよい。
【００７０】
また、上記実施形態では、プリンター４がページ情報を管理サーバー３に要求して取得する、いわゆるＰＵＬＬ型の通信によりページ情報を取得するようにしていたが、本発明はこれに限られず、例えば、管理サーバー３に印刷させるべきプリンター４の位置情報（例えば、ＩＰアドレス等）を記憶させておき、管理サーバー３が、所定のタイミング（例えば、携帯電話機２からＵＲＬを受け取ったタイミング）で、プリンター４にページ情報を送信する、いわゆるＰＵＳＨ型の通信によりページ情報を送信するようにしてもよい。
【００７１】
上記実施形態では、携帯電話機２において指定された複数のウェブページのＵＲＬを管理サーバー３に登録させ、プリンター４は、管理サーバー３から複数のウェブページのＵＲＬを取得して、ウェブページを所定の順番に従って遷移表示するようにしていたが、本発明はこれに限られず、例えば、プリンター４単体でこれらの処理を実現するようにしてもよい。すなわち、プリンター４において、表示されたウェブページの中から複数のウェブページの指定を受け付け、これらのＵＲＬを記憶し、当該記憶したＵＲＬに基づいて、ウェブページを所定の順番に従って遷移表示させるようにしてもよい。
【００７２】
上記実施形態では、携帯電話機２は、ウェブページのＵＲＬを送信して、ＵＲＬをページ情報として管理サーバー３に記憶させ、プリンター４は、ＵＲＬを用いてウェブページを表示したり、印刷したりするようにしていたが、本発明はこれに限られず、携帯電話機２は、ＵＲＬとともに、そのウェブページ内のユーザーにより指定された範囲を特定する情報とを管理サーバー３に送信してページ情報として記憶させ、プリンター４は、ページ情報中のＵＲＬに対応するウェブページの指定された範囲が、当該ウェブページを最初に表示させる際に確認できるように表示部４１に表示させるようにしたり、或いは、当該ＵＲＬのウェブページの指定された範囲を印刷したりしてもよい。この場合、ウェブページ内の指定された範囲としては、携帯電話機２において、ウェブページを選択対象として登録するためのボタンを押下した際に表示されているウェブページの範囲としてもよい。
【００７３】
上記実施形態では、複数のウェブページのＵＲＬを登録させる一括登録の場合には、携帯電話機２は、登録した順番に従ってＵＲＬを記憶させるようにし、プリンター４は、その順番に従ってウェブページを遷移表示するようにしていたが、本発明はこれに限られず、携帯電話機２は、ＵＲＬを登録させる際に、ユーザーから順番の指定を受け付け、その指定された順番に従ってＵＲＬを並び替えて管理サーバー３に記憶させ、プリンター４は、その順番に従ってウェブページを遷移表示するようにしてもよく、また、携帯電話機２は、ユーザーから指定されたＵＲＬについての順番を示す情報（順番情報）をＵＲＬに付加して管理サーバー３に記憶させるようにし、プリンター４は、付加されている順番情報に従って、ウェブページを遷移表示するようにしてもよい。
【００７４】
上記実施形態においては、管理サーバー３において、ユーザーのＩＤに対応して１つのページ情報を管理する例を示していたが、本発明はこれに限られず、管理サーバー３において、ユーザーの１つのＩＤに対して、複数のページ情報を識別可能に管理させるようにし、プリンター４を介して、ユーザーが使用するページ情報を選択できるようにしてもよい。なお、記憶部３４において、ページ情報を識別するためには、例えば、ページ情報を識別するためのページ情報ＩＤを、ページ情報に対応付けて管理するようにすればよい。
【００７５】
なお、上記実施形態では、複数のユーザーに対応するためにＩＤを用いて管理サーバー３におけるページ情報の格納領域を異ならせるようにしていたが、本発明はこれに限られず、例えば、ユーザー毎に管理する必要がない場合、例えば、ユーザーが一人である場合や、複数のユーザーが共有して利用するような場合には、管理サーバー３におけるページ情報の格納領域を一定の領域に固定するようにしてもよい。
【００７６】
なお、上記実施形態では、携帯電話機２において、ＩＤに基づいて、選択対象のウェブページのＵＲＬを保存要求する時にアクセスすべき管理サーバー３のＵＲＬを算出するようにしていたが、本発明はこれに限られず、例えば、ページ情報保存部２５が、管理サーバー３の固定的に決められているアドレスに対して、ＩＤと、ウェブページのＵＲＬとＵＲＬのパラメーターとして送信するようにし、管理サーバー３のページ情報更新部３２が、ＵＲＬのパラメーターとして送信されたＩＤ及びウェブページのＵＲＬを用いて、ＩＤに対応する領域にウェブページに対応するページ情報を格納するようにしてもよい。
【符号の説明】
【００７７】
１  画像形成処理システム、２  携帯電話機、３  管理サーバー、４  プリンター、２１  表示部、２２  入力部、２３  通信部、２４  表示処理部、２５  ページ情報保存部、２６  通信先算出部、２７  記憶部、２８  ＩＤ、２９  近接通信部、３１  通信部、３２  ページ情報更新部、３３  ページ情報配信部、３４  記憶部、３５  保存先情報、３６  ページ情報、４１  表示部、４２  入力部、４３  通信部、４４  印刷部、４５  ページ編集部、４６  表示処理部、４７  ページ情報取得部、４８  通信先算出部、４９  記憶部、５０  ＩＤ、５１  カードリーダー。
【図１】
2011081647.tif 000003
【図２】
2011081647.tif 000004
【図３】
2011081647.tif 000005
【図４】
2011081647.tif 000006
【図５】
2011081647.tif 000007